(57)【要約】      （修正有）【課題】セキュリティーラベル履歴管理者がセキュリティーラベルをデーター管理者・物品管理者・出荷管理者等にセキュリティーラベルを切り離して配付した場合に、それぞれのセキュリティーラベルの配付先の履歴を確実に管埋出来る台帳を提供する。【解決手段】セキュリティーラベルを管理するセキュリティーラベル管理台帳であって、１以上の配布用セキュリティーラベル１を切り離し可能に設けた台紙２を有し、該台紙は、前記少なくとも１つの配布用セキュリティーラベルを切り離すことにより履歴管理台帳２ａとして用いるものであり、前記履歴管理台帳には、前記配布用セキュリティーラベルの内容を表示する半券３と、前記配布用セキュリティーラベルの発行からの履歴を書き込む履歴欄４とを前記配布用セキュリティーラベルにそれぞれ対応させて設けてある。【選択図】図１
0003164852.tif 000002
【実用新案登録請求の範囲】
【請求項１】
セキュリティーラベルを管理するセキュリティーラベル管理台帳であって、
１以上の配布用セキュリティーラベルを切り離し可能に設けた台紙を有し、
前記台紙は、前記少なくとも１つの配布用セキュリティーラベルを切り離すことにより履歴管理台帳として用いるものであり、
前記履歴管理台帳には、前記配布用セキュリティーラベルの内容を表示する半券と、前記配布用セキュリティーラベルの発行からの履歴を書き込む履歴欄とを、前記配布用セキュリティーラベルにそれぞれ対応させて設けてあることを特徴とするセキュリティーラベル管理台帳。
【請求項２】
前記配布用セキュリティーラベルは、前記履歴管理台帳の一辺に沿って設けられ、
前記１枚の配布用セキュリティーラベルは、前記台紙から切り離されると共に、他の配布用セキュリティーラベルから分離して切り離される請求項１に記載のセキュリティーラベル管理台帳台帳。
【考案の詳細な説明】
【技術分野】
【０００１】本考案は、セキュリティーラベルの履歴を管理するのに最適なセキュリティーラベル履歴管理台帳に関する。
【背景技術】
【０００２】  粗悪な模倣品対策として、真正品であることを証明するための認証ラベルとしてセキュリティーラベルが開発されている（特許文献１）。【０００３】  この種のセキュリティーラベルは、パーソナルコンピュータにも用いられ、そのパーソナルコンピュータから重要データーが漏洩されないように管理されている。その種のセキュリティーラベルの用い方は、シートからセキュリティーラベルを剥がし、そのセキュリティーラベルをパーソナルコンピュータのＵＳＢの入出力ポートに貼り付けて、ＵＳＢの入出力ポートを封印することに用いられている。【０００４】  誰かがセキュリティーラベルをパーソナルコンピュータのＵＳＢの入出力ポートから剥がしてＵＳＢの入出力ポートを開封すると、ＵＳＢの入出力ポートにセキュリティーラベルを剥がしたことを示す証拠が残ることとなり、それによってパーソナルコンピュータから重要データーが漏洩したか否かが判別できるようになっている。
【先行技術文献】
【特許文献】
【０００５】
【特許文献１】特開２００５−２８９４４６号公報
【考案の概要】
【考案が解決しようとする課題】
【０００６】  セキュリティーラベルによるＵＳＢの入出力ポートの封印を解除する場合を考えると、善意者がパーソナルコンピュータのＵＳＢの入出力ポートを善意で開封して重要データーをＵＳＢメモリにコピーする場合と、悪意者がパーソナルコンピュータのＵＳＢの入出力ポートを悪意で開封して重要データーをＵＳＢメモリにコピーする場合などがある。【０００７】  しかし、従来のセキュリティーラベルの用い方は、パーソナルコンピュータのＵＳＢの入出力ポートにセキュリティーラベルを貼り付けて前記ＵＳＢの入出力ポートを封印するという用い方であり、その履歴を管理していないので、セキュリティーラベルによるＵＳＢの入出力ポートの封印を解除する場合に、どのような理由でＵＳＢの入出力ポートの封印が解除されたのかを把握することができないという問題がある。
また、セキュリティーラベルは、パーソナルコンピュータのＵＳＢの入出力ポートばかりでなく、情報機器の出力ポートなどにも用いられているが、これらの場合もシートからセキュリティーラベルを剥がして、それらのポートをセキュリティーラベルで封印しているだけであるから、上述した問題が生じている。【０００８】  本考案の目的は、セキュリティーラベルの履歴を管理するのに最適なセキュリティーラベル履歴管理台帳を提供することにある。
【課題を解決するための手段】
【０００９】  前記目的を達成するため、本考案に係るセキュリティーラベル管理台帳は、セキュリティーラベルを管理するセキュリティーラベル管理台帳であって、
１以上の配布用セキュリティーラベルを切り離し可能に設けた台紙を有し、
前記台紙は、前記少なくとも１つの配布用セキュリティーラベルを切り離すことにより履歴管理台帳として用いるものであり、前記履歴管理台帳には、前記配布用セキュリティーラベルの内容を表示する半券と、前記配布用セキュリティーラベルの発行からの履歴を書き込む履歴欄とを、前記配布用セキュリティーラベルにそれぞれ対応させて設けてあることを特徴とする。
【考案の効果】
【００１０】  以上のように本考案によれば、セキュリティーラベル管理台帳を使用することにより、発行日・発行者・受取者・使用場所等の履歴が残るので、真正な管理者・利用者を確実に管理出来る。
さらに、本セキュリティーラベルを一度貼着利用したラベルは剥離すると再度利用できなくなるので、この剥離した元のセキュリティーラベルは必ず管理者に返却させ、再度、新しいセキュリティーラベルを発行するようにするため、セキュリティーラベルの発行から利用終結までがルーチン化し、義務付けることが出来る。【００１１】  上記に説明したように管理者・利用者に、配布用セキュリティーラベル及びセキュリティーラベル管理台帳が重要であるかを喚起させることが出来る。
さらに、真正な管理者・利用者の履歴を確実に管理出来るので、不正利用を防止する効果を奏するものである。そして、万が一不正利用のためセキュリティーラベルを剥離した場合においても、迅速に対応処理ができ、剥離した者を容易に特定する事ができ、不正利用者の早期特定が可能になる。
【図面の簡単な説明】
【００１２】
【図１】図１は、本考案の実施形態に係るセキュリティーラベル管理台帳を説明する図である。
【考案を実施するための形態】
【００１３】  本考案の実施形態に係るセキュリティーラベルは図１に示すように、セキュリティーラベルを管理するセキュリティーラベル管理台帳であって、１以上の配布用セキュリティーラベル１を切り離し可能に設けた台紙２を有している。前記台紙２は、前記少なくとも１つの配布用セキュリティーラベル１を切り離すことにより履歴管理台帳２ａとして用いるものである。
【００１４】  前記台紙２は、Ａ４あるいはＢ５などのように定型の大きさに形成されており、前記履歴管理台帳２ａの領域と、前記履歴管理台帳２ａの一辺に沿って設けられた配布用セキュリティーラベル１を形成する領域２ｂとに区分けされている。
前記領域２ｂには、セキュリティーラベル１が縦方向に並べて形成されている。そして、前記領域２ｂと前記履歴管理台帳２ａとの境には縦方向にミシン目２ｃが設けられている。さらに、前記領域２ｂに形成した隣接するセキュリティーラベル１，１の相互間には、横方向にミシン目２ｄが設けられており、前記セキュリティーラベル１は、前記台紙２、すなわち前記台紙２の領域２ｂから、縦方向のミシン目２ｃ及び横方向のミシン目２ｄに沿って切り取る事により個々に切り離されるようになっている。
前記セキュリティーラベル１は、特許文献１などに記載されたような構造になっており、前記領域２ｂのシートから剥がすことにより、パーソナルコンピュータのＵＳＢの入出力ポートなどのポートに貼り付けることにより、そのポートを封印し、そのポートから引きはがすと、そのポートにセキュリティーラベルを引きはがした残痕が残るようになっている。従って、セキュリティーラベル１をポートなどから引きはがした残痕を観察することにより、ポートが開封されたか否かを判別することができる。本実施形態では、前記セキュリティーラベル自体の構造に特徴がないので、その具体的な構造については説明を省略する。
【００１５】  さらに、前記履歴管理台帳２ａには、前記配布用セキュリティーラベル１の内容を表示する半券３と、前記配布用セキュリティーラベル１の発行からの履歴を書き込む履歴欄４とを、前記配布用セキュリティーラベル１にそれぞれ対応させて設けてある。
図１に示す例では、２以上のセキュリティーラベル１には、連続する番号１ａを付してあるため、半券３には、各セキュリティーラベル１に付した連続する番号１ａを記載してあるが、これに限られるものではない。例えば、セキュリティーラベル１に特殊記号又はマーク等を付してもよく、その場合、前記半券３には、前記セキュリティーラベル１に付した特殊記号又はマーク等を付しておくこととなる。要は、前記半券３は、その半券３に対応し且つ前記台帳２から切り離されたセキュリティーラベル１の内容を表示するものであれば、いずれのものであってもよいものである。
【００１６】  さらに、前記履歴管理台帳２ａには、前記セキュリティーラベル１の個々に対応させて前記半券３に連ねて、前記配布用セキュリティーラベル１の発行からの履歴を書き込む履歴欄４が設けられている。
図１に示す例では、履歴欄４には、セキュリティーラベル１の発行日，発行者，受取人，使用場所，廃棄日・返却ラベル貼付欄が設けられているが、これに限られるものではなく、セキュリティーラベルを管理できる事項であれば、いずれのものであってもよいものである。
【００１７】  本実施形態の図１に示す例のセキュリティーラベル管理台帳を用いて配布用セキュリティーラベル１を管理するには、先ず縦方向及び横方向のミシン目２ｃ，２ｄに沿って必要とするセキュリティーラベル１を台紙２から切り離す。
その際に、切り離したセキュリティーラベル１を発行した日付けを履歴欄４の発行日の欄に記入し、且つそのセキュリティーラベル１の発行者名を履歴欄４の発行者の欄に記入し、さらに、その切り離したセキュリティーラベル２の受取人を履歴欄４の受取人の欄に記入し、さらには、その切り離したセキュリティーラベル１を使用した場所を履歴欄４の使用場所の欄に記入する。
以上の処理がセキュリティーラベルを使用開始する際に行われる。
そして、前記セキュリティーラベル１が不要となって廃棄する場合には、そのセキュリティーラベル１を引き渡した受取人から、使用場所から剥離して不要になったセキュリティーラベル１を受け取り、そのセキュリティーラベル１の廃棄日を履歴欄４に記入すると共に、その不要になったセキュリティーラベル１を履歴欄４に貼付する。
【００１８】  以上の様に、配布用セキュリティーラベル１と履歴管理台帳２ａとを一体化させているため、配布用セキュリティーラベル１を切り離して使用者に渡す時に、もう一方の履歴管理台帳２ａには、そのセキュリティーラベル１に記載されたナンバー・特殊記号又はマーク等が相対応した半券３が残っており、その半券３に連ねて履歴欄４が設けられているので、その履歴欄４には、セキュリティーラベルを発行する時に、誰が・誰に・いつ発行したかの記録を残することとなる。
【００１９】  パソコン用ＵＳＢの入出力ポートの差込口に常事貼着しておいて一般の者がパソコンのデーターの出・入が出来ないようにした時に管理者又は特定された者のみがこのセキュリティーラベルを剥離しＵＳＢが差込めるようにするが、この一連の管理体制のもとで管理できるようにする。
【００２０】  以上の説明では、パソコンのセキュリティ管理に用いるセキュリティーラベルについて説明したが、これに限られるものではない。例えば、重要物品の保存・保管管理倉庫・キャビネット等の鍵穴に常事貼着しておき必要に応じて上記のように管理者又は特定された者のみがこのセキュリティーラベルを剥離して鍵が差込めるようにし、その一連の管理体制を明確にして管理出来るようにする。内容変更不可データー、異物・薬物混入不可ケース、遺言状や合否通知書、親展等重要郵便物、その他重要物品の保管管理等にもこれが利用出来る。
【００２１】セキュリティーラベル履歴管理者がセキュリティーラベルをデーター管理者・物品管理者・出荷管理者等にセキュリティーラベルを切り離して配付した場合に、それぞれのセキュリティーラベルの配付先の履歴を確実に管埋出来る台帳を提供する。
【産業上の利用分野】
【００２２】  本考案によれば、簡易な構造のセキュリティーラベル管理台帳を用いて、セキュリティーラベルの履歴を管理することを通じて重要な情報などの管理を容易に行うことに貢献できるものである。
【符号の説明】
【００２３】１  配布用セキュリティーラベル
２  台紙
２ａ  履歴管理台帳
３  半券
４  履歴欄
【図１】
0003164852.tif 000003
【手続補正書】
【提出日】平成22年9月27日(2010.9.27)
【手続補正１】
【補正対象書類名】実用新案登録請求の範囲
【補正対象項目名】全文
【補正方法】変更
【補正の内容】
【実用新案登録請求の範囲】
【請求項１】
セキュリティーラベルを管理するセキュリティーラベル管理台帳であって、１以上の配布用セキュリティーラベルを切り離し可能に設けた台紙を有し、前記台紙は、前記少なくとも１つの配布用セキュリティーラベルをミシン目を入れて切り離すことにより履歴管理台帳として用いるものであり、前記履歴管理台帳には、前記配布用セキュリティーラベルの内容を表示する半券と、前記配布用セキュリティーラベルの発行からの履歴を書き込む履歴欄とを、前記配布用セキュリティーラベルにそれぞれ対応させて設けてあることを特徴とするセキュリティーラベル管理台帳。
【請求項２】
前記配布用セキュリティーラベルは、前記履歴管理台帳の一辺に沿って設られ、前記１枚の配布用セキュリティーラベルは、前記台紙から切り離されると共に、他の配布用セキュリティーラベルからミシン目によって切り離される請求項１に記載のセキュリティーラベル管理台帳。